(57)【要約】【課題】引き返し編成の途中に引き返し編成によって編成された編目列を編幅方向の外側に移動させることなく、傾斜縁部に十分な数の編目を形成することができる筒状編地の編成方法を提供する。【解決手段】端部編目１１，１３の位置が同じ引き返し編成をｎ回繰り返すユニット編成を、端部編目１１，１３の位置を徐々に移動させながら複数回行なう。１回目の引き返し編成における往路編成１Ａの終了から復路編成１Ｂの開始までの間に、既存の編目１０に対して引き返し編目１２を編成し、ｍ回目の引き返し編成における往路編成２Ａの終了から復路編成２Ｂの開始までの間に、増し目２２を編成する。その後、ラッキングと目移しを用いて、引き返し編目１２と増し目２２を、引き返し端側からその形成順に整列した状態に再配置し、整列した編目に連続して新たな編目を編成する。【選択図】図２
2017210697.tif 000002
【特許請求の範囲】
【請求項１】
少なくとも前後に対向する第一針床と第二針床を備える横編機を用いて筒状編地を編成する途中に、往路編成と復路編成とで構成される引き返し編成を繰り返し、その繰り返しの際に引き返し編成の編幅を徐々に減らすことで前記筒状編地の一部に傾斜縁部を形成する筒状編地の編成方法において、
前記第一針床と前記第二針床に係止される筒状の編地部に対して、引き返し端側の端部編目の位置が同じ引き返し編成をｎ回繰り返すことを一単位とするユニット編成を、前記端部編目の位置を徐々に移動させながら複数回行い、前記傾斜縁部を構成する引き返し編目と増し目を編成する工程であって、前記引き返し編目は、各ユニット編成の１回目の引き返し編成における往路編成の終了から復路編成の開始までの間に、前記往路編成の終端編目の引き返し端側に隣接する既存の編目に対して編成し、前記増し目は、各ユニット編成のｍ回目の引き返し編成における往路編成の終了から復路編成の開始までの間に、ｍ回目の前記往路編成の終端編目の近傍の位置に編成する工程Ａと、
前記工程Ａの後に、ラッキングと目移しを用いて、前記引き返し編目と前記増し目を、前記引き返し端側からその形成順に整列した状態に再配置する工程Ｂと、
前記工程Ｂの後に、前記傾斜縁部の編目のウエール方向に連続して新たな編目を編成する工程Ｃと、
を行なう筒状編地の編成方法。
但し、ｍ，ｎは２または３で、ｍ≦ｎである。
【請求項２】
前記ｎは３、前記ｍは２であり、
さらに、３回目の引き返し編成における往路編成の終了から復路編成の開始までの間に、３回目の前記往路編成の終端編目の近傍の位置に追加増し目を編成する工程Ｄを行い、
前記工程Ｂでは、前記引き返し編目と前記増し目と前記追加増し目を、前記引き返し端側からその形成順に整列した状態に再配置する請求項１に記載の筒状編地の編成方法。
【請求項３】
前記引き返し編目として、タック目を編成し、
前記増し目として、前記ｍ回目の引き返し編成における往路編成の終端編目の近傍にある空針に掛け目を編成する請求項１または請求項２に記載の筒状編地の編成方法。
【請求項４】
前記筒状編地の編幅内に編地が離隔する離隔部を形成すると共に、その離隔部を挟む位置に二つの前記傾斜縁部を形成する場合、
一方の前記傾斜縁部を形成する引き返し編成と、他方の前記傾斜縁部を形成する引き返し編成と、を交互に行なう請求項１〜請求項３のいずれか１項に記載の筒状編地の編成方法。
【請求項５】
前記横編機は、前記第一針床の上方に配置される第三針床、および前記第二針床の上方に配置される第四針床を備える４枚ベッド横編機であり、
前記引き返し編成では隣接する編目の間に空針を設けない総針編成を行い、
前記１回目の引き返し編成では、前記引き返し編目として、前記既存の編目にタック目を編成し、
前記ｍ回目の引き返し編成では、前記増し目として、前記第三針床または第四針床の空針に掛け目を編成する請求項１〜請求項４のいずれか１項に記載の筒状編地の編成方法。
【発明の詳細な説明】
【技術分野】
【０００１】
本発明は、横編機を用いた引き返し編成によって形成される傾斜縁部を有する筒状編地の編成方法に関する。
【背景技術】
【０００２】
従来から、衿を有するニットウェア（筒状編地）を、横編機を用いて編成することが行われている。衿を有するニットウェアを編成するには、まず引き返し位置を編幅方向の外側に順次ずらす引き返し編成を行なうと共に、引き返し端側の端部編目を針床に係止させておき、それら端部編目からなる衿ぐりを形成する。そして、その衿ぐりの編目に続いて衿を編成する。
【０００３】
ここで、ニットウェアの幅方向（編幅方向）に対して角度のある傾斜縁部を有するＵ字型やＶ字型のネックホールを編成する場合、ネックホールの周長に比してネックホールに並ぶ編目の数が不足し、ネックホールが小さく縮んでしまうという問題がある。このような問題点を解決する技術として、例えば特許文献１や２に記載の技術が挙げられる。
【０００４】
特許文献１，２では、引き返し編成で衿ぐりを形成するにあたって、針床に係止されるニットウェアの右前身頃の編目と左前身頃の編目をそれぞれ、ニットウェアの中央から遠ざかる方向に移動させる。次いで、引き返し編成を行う際、編目の移動により空針となった編針に増し目を形成する。そして、この増し目を次コース以降の編成から外して、上述した編目の移動と引き返し編成を行うことを繰り返す。この一連の編成を行うことにより、衿ぐりの傾斜縁部に並ぶ編目の数を増やすことで、上記問題点を解決している。
【先行技術文献】
【特許文献】
【０００５】
【特許文献１】特許第３８６３０１８号公報
【特許文献２】国際公開第２０１０／０８４５５６号
【発明の概要】
【発明が解決しようとする課題】
【０００６】
上記特許文献１，２の編成方法では、引き返し編成の繰り返しの途中で引き返し編成によって編成された編目列を編幅方向の外側（筒状編地の中央から離れる方向）に移動させているため、身頃に形成した組織柄が編幅方向の外側に向って傾斜してしまう場合がある。
【０００７】
本発明は、上記事情に鑑みてなされたものであり、その目的は、引き返し編成の途中に引き返し編成によって編成された編目列を編幅方向の外側に移動させることなく、傾斜縁部に十分な数の編目を形成することができる筒状編地の編成方法を提供することにある。
【課題を解決するための手段】
【０００８】
本発明の筒状編地の編成方法は、少なくとも前後に対向する第一針床と第二針床を備える横編機を用いて筒状編地を編成する途中に、往路編成と復路編成とで構成される引き返し編成を繰り返し、その繰り返しの際に引き返し編成の編幅を徐々に減らすことで前記筒状編地の一部に傾斜縁部を形成する筒状編地の編成方法である。この本発明の筒状編地の編成方法では、以下の工程Ａ〜Ｃを行なう。
［工程Ａ］…前記第一針床と前記第二針床に係止される筒状の編地部に対して、引き返し端側の端部編目の位置が同じ引き返し編成をｎ回繰り返すことを一単位とするユニット編成を、前記端部編目の位置を徐々に移動させながら複数回行い、前記傾斜縁部を構成する引き返し編目と増し目を編成する工程である。この工程Ａにおける前記引き返し編目は、各ユニット編成の１回目の引き返し編成における往路編成の終了から復路編成の開始までの間に、前記往路編成の終端編目の引き返し端側に隣接する既存の編目に対して編成する。前記増し目は、各ユニット編成のｍ回目の引き返し編成における往路編成の終了から復路編成の開始までの間に、ｍ回目の前記往路編成の終端編目の近傍の位置に編成する。但し、ｍ，ｎは２または３で、ｍ≦ｎである。つまり、前記ユニット編成の繰り返し数ｎが２の場合、２回目のユニット編成のときに前記増し目を編成する。前記ユニット編成の繰り返し数ｎが３の場合、２回目もしくは３回目のユニット編成のときに前記増し目を編成する。
［工程Ｂ］…前記工程Ａの後に、ラッキングと目移しを用いて、前記引き返し編目と前記増し目を、前記引き返し端側からその形成順に編幅方向に整列した状態に再配置する工程。再配置にあたっては、整列させる編目間の間隔を、前記筒状の編地部における編目間の間隔と同じにすると良い。例えば、前記筒状の編地部が、隣接する編目間に空針がない総針状態で編成されている場合、工程Ｂで整列する編目も総針状態とする。前記筒状の編地部が、隣接する編目間に空針を設けた針抜き状態で編成されている場合、工程Ｂで整列する編目も針抜き状態とする。
［工程Ｃ］…前記傾斜縁部の編目のウエール方向に連続して新たな編目を編成する工程。
【０００９】
本発明の筒状編地の編成方法の一形態として、前記ｎは３、前記ｍは２であり、さらに以下の工程Ｄを行なう形態を挙げることができる。
［工程Ｄ］…３回目の引き返し編成における往路編成の終了から復路編成の開始までの間に、３回目の前記往路編成の終端編目の近傍の位置に追加増し目を編成する工程。
その場合、前記工程Ｂでは、前記引き返し編目と前記増し目と前記追加増し目を、前記引き返し端側からその形成順に整列した状態に再配置する。
【００１０】
本発明の筒状編地の編成方法の一形態として、前記引き返し編目として、タック目を編成し、前記増し目として、前記ｍ回目の引き返し編成における往路編成の終端編目の近傍にある空針に掛け目を編成する形態を挙げることができる。さらに工程Ｄを行なう場合、追加増し目は掛け目とすれば良い。
【００１１】
本発明の筒状編地の編成方法の一形態として、前記筒状編地の編幅内に編地が離隔する離隔部を形成すると共に、その離隔部を挟む位置に二つの前記傾斜縁部を形成する場合、一方の前記傾斜縁部を形成する引き返し編成と、他方の前記傾斜縁部を形成する引き返し編成と、を交互に行なう形態を挙げることができる。
【００１２】
本発明の筒状編地の編成方法の一形態として、前記横編機は、前記第一針床の上方に配置される第三針床、および前記第二針床の上方に配置される第四針床を備える４枚ベッド横編機であり、前記引き返し編成では隣接する編目の間に空針を設けない総針編成を行なう形態を挙げることができる。その場合、前記１回目の引き返し編成では、前記引き返し編目として、前記既存の編目にタック目を編成し、前記ｍ回目の引き返し編成では、前記増し目として、前記第三針床または第四針床の空針に掛け目を編成する。さらに工程Ｄを行なう場合、第三針床と第四針床のうち、増し目に対向する針床の空針に、掛け目からなる追加増し目を編成すれば良い。
【発明の効果】
【００１３】
本発明の筒状編地の編成方法では、引き返し編成を繰り返す間、引き返し編成によって編成した編目を編幅方向の外側に移動させることがないため、筒状編地に形成した組織柄が編幅方向の外側に向って傾斜してしまうことを抑制できる。
【００１４】
また、本発明の筒状編地の編成方法では、引き返し端の位置が同じ引き返し編成を２回あるいは３回行なう間に、傾斜縁部の編目となる引き返し編目と増し目（さらには追加増し目）を編成するため、傾斜縁部に十分な数の編目を形成することができる。そのため、例えば傾斜縁部を有する衿ぐりを本発明の筒状編地の編成方法で形成すれば、衿ぐりが小さく縮むことを抑制できる。
【００１５】
タック目と掛け目の編成は容易に行なうことができるので、傾斜縁部を効率的に形成することができる。
【００１６】
本発明の筒状編地の編成方法において一方の傾斜縁部の引き返し編成と他方の傾斜縁部の引き返し編成とを交互に行なうことで、離隔部を挟む二つの傾斜縁部を効率的に形成することができる。
【００１７】
４枚ベッド横編機で総針編成を行なう本発明の筒状編地の編成方法によれば、編目が詰んだ筒状編地を編成することができる。
【図面の簡単な説明】
【００１８】
【図１】傾斜縁部を含む衿ぐりを有するセーターの概略構成図である。
【図２】傾斜縁部の編成手順を模式的に示す編成イメージ図である。
【図３】実施形態１の傾斜縁部の編成工程の一部を示す編成工程図である。
【図４】図３に続く傾斜縁部の編成工程の一部を示す編成工程図である。
【図５】図４に続く傾斜縁部の編成工程の一部を示す編成工程図である。
【図６】実施形態２の傾斜縁部の編成工程の一部を示す編成工程図である。
【図７】実施形態３の傾斜縁部の編成工程の一部を示す編成工程図である。
【発明を実施するための形態】
【００１９】
＜実施形態１＞
本実施形態１では、本発明の筒状編地の編成方法を用いて、身頃と袖を有するセーター（筒状編地）に衿ぐりを形成する例を説明する。
【００２０】
図１に示すセーター１００（筒状編地）は、身頃５０と、セットインタイプの袖（左袖６１・右袖６２）と、を有する。身頃５０は便宜上、左前身頃５１と右前身頃５２と後身頃５３とに分けることができる。その身頃５０には、前身頃側が概略Ｕ字状になった衿ぐり７０が形成されており、その衿ぐり７０には筒状の衿８０が設けられている。この衿ぐり７０によって、左前身頃５１と右前身頃５２とが離隔された離隔部５０ｄが形成される。横編機を用いてこのセーター１００を編成するには、衿ぐり７０の下端部７３の位置まで身頃５０と袖６１，６２を編成し、次いで袖６１，６２の編成と減らしとを行いながら身頃５０と衿ぐり７０の輪郭を形成する。そして、衿ぐり７０を構成する編目に連続して周回編成により衿８０を編成する。
【００２１】
上記セーター１００の衿ぐり７０には、その下端部７３から斜め上方（即ち、セーター１００の編幅方向とウエール方向の両方に交差する方向）に延びる傾斜縁部７１，７２が形成されている。この傾斜縁部７１（７２）は、引き返し編成の引き返し端の位置が徐々に左前身頃５１（右前身頃５２）の外側に変化することで形成される。この傾斜縁部７１，７２の形成に、本発明の筒状編地の編成方法が用いられる。
【００２２】
まず、図２の編成イメージ図を参照し、傾斜縁部７１を例にして本発明の筒状編地の編成方法の大略を説明する。図２の編成イメージ図は、前後一対の針床を上下に２段備える４枚ベッド横編機で総針編成を行なうことを前提とした編成イメージ図である。図中の四角形の枠は編目を、Ｖ字はタック目もしくは掛け目を示しており、太線矢印は引き返し編成の往路編成と復路編成の方向を示している。往路編成から復路編成に移行する側（紙面左側）が引き返し端側である。図中の最下段の編目（枠）は、前後の針床に係止される筒状の編地部の一部であるベース編目列１０ｂである。図２の例では、このベース編目列１０ｂに対して、傾斜縁部７１の編目を編成する（工程Ａ）。
【００２３】
工程Ａでは、２回の引き返し編成を一単位とするユニット編成を繰り返す。１回目の引き返し編成における往路編成１Ａの終端編目１１と復路編成１Ｂの始端編目１３の位置、および２回目の引き返し編成における往路編成２Ａの終端編目２１と復路編成２Ｂの始端編目２３は、編幅方向の同じ位置にある。即ち、終端編目１１のウエール方向に連続し始端編目１３が編成され、始端編目１３のウエール方向に連続して終端編目２１が編成され、終端編目２１のウエール方向に連続して始端編目２３が編成される。１回のユニット編成で４段分の新たな編目列が編成される。次のユニット編成を行う際は、その引き返し位置を紙面右側に１目ずらす。
【００２４】
２回の引き返し編成のうち、１回目の引き返し編成における往路編成１Ａの終了から復路編成１Ｂの開始までの間には、往路編成１Ａの終端編目１１の引き返し端側に隣接する既存の編目１０にタックを行い、タック目からなる引き返し編目１２を編成する。また、２回目の引き返し編成における往路編成２Ａの終了から復路編成２Ｂの開始までの間には、往路編成２Ａの終端編目２１よりも引き返し端側に増し目２２を編成する。増し目２２は、終端編目２１の近傍にある空針、例えば引き返し編目１２が係止される針床の上方にある針床の空針に形成される掛け目である。
【００２５】
次に、工程Ａで編成した引き返し編目１２と増し目２２を、引き返し端側からその形成順に整列した状態に再配置する（工程Ｂ）。図２の例では、目移しとラッキングを用いて紙面左側（引き返し端側）から順に、下側の引き返し編目１２、下側の増し目２２、上側の引き返し編目１２、上側の増し目２２が並ぶようにする。
【００２６】
次に、図１の衿ぐり７０の具体的な編成工程を図３〜５に基づいて説明する。図中の「Ｓ＋数字」は編成工程の番号を、ＦＤは下部前針床（第一針床）を、ＦＵは上部前針床（第三針床）を、ＢＤは下部後針床（第二針床）を、ＢＵは上部後針床（第四針床）を示す。ＢＤ，ＢＵは、ＦＤ，ＦＵに対して左右にラッキング可能で、前後の針床間で編目の目移しが可能である。図中のマークの意義は以下の通りである。各編成工程で編成動作に関わる部分は太線で示すと共に、当該工程で新たに編成された編目は塗り潰して示す。図中に示す矢印は、対向する針床の空針と針床のラッキングを使って行う目移しによる編目の移動を示す。
・丸マーク…左前身頃５１および右前身頃５２の編目、並びに左袖６１と右袖６２の前側部分の編目
・ダイヤマーク…衿ぐり７０の下端部７３の編目
・逆五角形マーク…後身頃５３の編目、並びに左袖６１と右袖６２の後側部分の編目
・Ｖマーク…タック目もしくは掛け目
・逆三角マーク…給糸口
【００２７】
図３のＳ０には、図１のセーター１００を衿ぐり７０の下端部７３の位置まで編成した状態が示されている。ＦＤとＢＤに係止される筒状の編地部のうち、ＦＤに係止される編目列をベース編目列１０ｂ（図２参照）とし、この状態から本発明の筒状編地の編成方法を用いて傾斜縁部７１，７２を編成する。Ｓ１では、給糸口を左方向に移動させる傾斜縁部７１の往路編成１Ａを行い、ＦＤで左袖６１と左前身頃５１の編目を編成する（図２を合わせて参照）。
【００２８】
Ｓ２では、給糸口を右方向に移動させ、既存の編目１０（Ｓ０参照）にタックを行なうことでタック目からなる引き返し編目１２を編成した後、ＦＤで傾斜縁部７１の復路編成１Ｂを行なう。復路編成１Ｂの始端編目１３は、往路編成１Ａの終端編目１１（Ｓ１参照）のウエール方向に連続して編成される。ここで、引き返し編目１２は、Ｓ１において給糸口を左方向に移動させたときに編成することもできる。
【００２９】
このＳ２ではさらに、給糸口を左方向に移動させ、ＢＤで後側編地部（６１，５３，６２）の編目を編成した後、給糸口を右方向に移動させる傾斜縁部７２の往路編成１Ｃを行なう。往路編成１Ｃによって、ＦＤで右袖６２と右前身頃５２の編目が編成される。
【００３０】
Ｓ３では、給糸口を左方向に移動させ、既存の編目１９（Ｓ２参照）にタックを行なうことでタック目からなる引き返し編目１５を編成した後、ＦＤで傾斜縁部７２の復路編成１Ｄを行なう。復路編成１Ｄの始端編目１６は、往路編成１Ｃの終端編目１４のウエール方向に連続して編成される。
【００３１】
このＳ３ではさらに、給糸口を右方向に移動させ、ＢＤで後側編地部の編目を編成した後、給糸口を左方向に移動させる傾斜縁部７１の２回目の往路編成２Ａを行なう。往路編成２ＡはＦＤで行なわれ、往路編成２Ａの終端編目２１は、復路編成１Ｂの始端編目１３（Ｓ２参照）のウエール方向に連続して編成される。
【００３２】
図４のＳ４では、給糸口を右方向に移動させ、引き返し編目１２の上方にあるＦＵの空針に掛け目からなる増し目２２を編成した後、ＦＤで傾斜縁部７１の２回目の復路編成２Ｂを行なう。復路編成２Ｂの始端編目２３は、往路編成２Ａの終端編目２１（Ｓ３参照）のウエール方向に連続して編成される。ここで、増し目２２は、Ｓ３で給糸口を左方向に移動させるときに編成することもできる。
【００３３】
このＳ４ではさらに、給糸口を左方向に移動させ、ＢＤで後側編地部の編目を編成した後、給糸口を右方向に移動させる傾斜縁部７２の２回目の往路編成２Ｃを行なう。往路編成２ＣはＦＤで行なわれ、往路編成２Ｃの終端編目２４は、復路編成１Ｄの始端編目１６（図３のＳ３参照）のウエール方向に連続して編成される。
【００３４】
Ｓ５では、給糸口を左方向に移動させ、引き返し編目１５の上方にあるＦＵの空針に掛け目からなる増し目２５を編成した後、ＦＤで傾斜縁部７２の２回目の復路編成２Ｄを行なう。復路編成２Ｄの始端編目２６は、往路編成２Ｃの終端編目２４（Ｓ４参照）のウエール方向に連続して編成される。ここで、増し目２５は、ＢＵの空針に編成することもできる。また、増し目２５は、引き返し編目１５に対して編幅方向に１〜２目程度ずれていても良い。
【００３５】
このＳ５ではさらに、給糸口を右方向に移動させ、ＢＤで後側編地部の編目を編成した後、給糸口を左方向に移動させる傾斜縁部７１の往路編成１Ａを行なう。この往路編成１Ａは、Ｓ１〜Ｓ４で行なった２回の引き返し編成（往路編成１Ａ＋復路編成１Ｂ＋往路編成２Ａ＋復路編成２Ｂ）からなるユニット編成とは異なる新たなユニット編成の一部である。従って、Ｓ５の往路編成１Ａの終端編目１１は、Ｓ４の始端編目２３から１目外側にずれた位置に形成されている。
【００３６】
Ｓ５以降は、Ｓ４の始端編目２３を、傾斜縁部７１を編成する際の既存の編目１０と規定すると共に、Ｓ５の始端編目２６を、傾斜縁部７２を編成する際の既存の編目１９と規定し、Ｓ２〜Ｓ５と同様の編成を繰り返す。その繰り返しの際、左袖６１と右袖６２の編幅を徐々に小さくしていき、袖６１，６２が無くなれば、身頃５０の編幅も徐々に小さくしていく。編幅を徐々に小さくしながら前後の編地部を接合する方法は公知であるため、ここではその詳しい説明を省略する。
【００３７】
Ｓ６には、傾斜縁部７１，７２を構成する編目（引き返し編目１２，１５と増し目２２，２５）の編成が終了した状態が示されている。Ｓ６の段階で袖６１，６２（図１参照）の編成は終了しており、左前身頃５１、右前身頃５２、および後身頃５３の編幅も、図３のＳ０のときよりも狭くなっている。このＳ６の状態から身頃５１，５２，５３を伏目処理などでＦＤ，ＢＤから外し、Ｓ７に示す状態とする。Ｓ６の伏目処理によって図１のセーター１００の肩ラインが形成される。
【００３８】
Ｓ７に示す状態から、Ｓ６に示す引き返し編目１２，１５と増し目２２，２５の整列を行なう。ここで、Ｓ７以降は、傾斜縁部７１（７２）の引き返し編目１２（１５）と増し目２２（２５）をその形成順に１〜８の符号を付して説明する。具体的には、１，３，５，７番目の編目は引き返し編目１２（１５）であり、２，４，６，８番目の編目は増し目２２（２５）である。
【００３９】
図５のＳ８では、ＢＤ，ＢＵを左方向に１ピッチラッキングさせ、傾斜縁部７１の８番目に形成された編目（Ｓ６の増し目２２）を、ＢＤに係止される後身頃５３の右側（図１のセーター１００においては左袖６１側）に移動させる。また、Ｓ８では、ＢＤに係止される後身頃５３の左側端部の編目を、ＦＤに係止される傾斜縁部７１の７番目に形成された編目（Ｓ６の引き返し編目１５）の左側に移動させる。このＳ８では、ＦＤとＢＤに係止される編目を反時計回りに回し込んでいると考えて良い。
【００４０】
Ｓ８以降は、Ｓ８と同様にラッキングと編目の移動を用いた回し込みによって、筒状編地１００の周方向に傾斜縁部７１の引き返し編目１，３，５，７と増し目２，４，６，８が並んだ状態にする（Ｓ９参照）。回し込みの際は、ＦＤに係止される編目の数と、ＢＤに係止される編目の数と、がほぼ同数となるようにし、編幅方向の両端部で編糸が切れることを防止する。
【００４１】
Ｓ９の後は、ＦＤとＢＤに係止される編目を時計回りに回し込み、傾斜縁部７２の編目（引き返し編目１，３，５，７と増し目２，４，６，８）を、筒状編地１００の周方向に並んだ状態にする（Ｓ１０参照）。
【００４２】
Ｓ１０の後は、下端部７３が編幅方向の中央に配置されるように、反時計回りに回し込みを行なってから、図１に示す衿８０を筒状編成によって編成する（工程Ｃ）。その結果、図１に示すセーター１００を完成させることができる。
【００４３】
上記編成工程を経て得られたセーター１００では、左前身頃５１（右前身頃５２）が４段分編成されるごとに、傾斜縁部７１（７２）の編目が２目編成される。そのため、傾斜縁部７１，７２の編目が不足して衿ぐり７０（衿８０）が小さく縮まったり、左前身頃５１（右前身頃５２）と衿ぐり７０との間に皺や孔が生じることを回避することができる。その結果、傾斜角度が大きい傾斜縁部７１，７２を有する深い衿ぐり７０を形成することができる。
【００４４】
また、上記編成工程では、傾斜縁部７１，７２の編目を編成する間、左前身頃５１（右前身頃５２）の編目を編幅方向の外側に移動させていない。そのため、本例のセーター１００では、左前身頃５１（右前身頃５２）に組織柄を編成しても、その組織柄が編幅方向の外側に傾斜したようにならない。
【００４５】
＜実施形態２＞
実施形態１ではセットインタイプのセーターの編成を説明した。これに対して、ラグランタイプのセーターの編成を図６に基づいて説明する。
【００４６】
ラグランタイプのセーターでは、袖と身頃との接合ラインが脇の下から衿ぐりに向って斜めに延びている。このようなセーターでは、実施形態１と同様の手順で傾斜縁部７１，７２の引き返し編目１２，１５と増し目２２，２５を編成した場合、図６のＴ０に示す状態となる。
【００４７】
Ｔ０に示すように、ラグランタイプのセーターでは、傾斜縁部７１，７２の編目が形成された時点で、まだ左袖６１と右袖６２の編目が針床に残った状態にある。この袖６１，６２を順次減らしていく途中で、引き返し編目１，３，５，７と増し目２，４，６，８の整列を終える必要がある。
【００４８】
Ｔ０の状態から傾斜縁部７１，７２の編目の整列を行なうには、Ｔ１に示すように、まずＦＤとＢＤに係止される左袖６１（右袖６２）を編幅方向の外側（編地の中央から離れる側）に移動させる。ＦＤ（ＢＤ）に係止される袖６１，６２を編幅方向の外側に移動させるには、ＢＵ（ＦＵ）の空針を利用すると良い。袖６１，６２の移動によって、ＢＤにおける後身頃５３と左袖６１（右袖６２）との間に、編目の移動用の空針が形成されるので、この空針を利用して、増し目８を引き返し編目７の外側に移動させる。ＢＤに移動用の空針を設けているのは、市販の横編機ではＦＵ−ＢＵ間で編目の移動ができないからである。以降は、ＢＤの空針を利用して、引き返し編目１，３，５，７と増し目２，４，６，８の整列を行なうと良い。ここでも、編目の整列に伴い、ＦＤの編幅方向の両端部の編目をＢＤに回し込む。
【００４９】
＜実施形態３＞
実施形態３では、図１に示す傾斜縁部７１，７２の編成の際、３回の引き返し編成を一単位とするユニット編成を行なうと共に、引き返し編目および増し目に加えて追加増し目を編成する例を図７の編成工程図に基づいて説明する。
【００５０】
実施形態３では、図４のＳ４までは実施形態１と同様に行なう。Ｓ４が終了した時点で、傾斜縁部７１の２回目の復路編成２Ｂと、傾斜縁部７２の２回目の往路編成２Ｃが終了している。
【００５１】
図７のＳ５では、引き返し編目１５を編成したＦＤの上方にあるＦＵの空針に、掛け目からなる増し目２５を編成した後、傾斜縁部７２の２回目の復路編成２Ｄ→ＢＤの後側編地部の編成→傾斜縁部７１の３回目の往路編成３Ａを行なう。往路編成３Ａの終端編目３１は、図４のＳ４に示す復路編成２Ｂの始端編目２３のウエール方向に続けて編成される。
【００５２】
Ｓ６では、増し目２２を編成したＦＵに対向するＢＵの空針に、掛け目からなる追加増し目３２を編成した後、傾斜縁部７１の３回目の復路編成３Ｂ→ＢＤの後側編地部の編成→傾斜縁部７２の３回目の往路編成３Ｃを行なう。復路編成３Ｂの始端編目３３は、終端編目３１のウエール方向に続けて編成し、往路編成３Ｃの終端編目３４は、Ｓ５の２回目の復路編成２Ｄの始端編目２６のウエール方向に続けて編成する。
【００５３】
Ｓ７では、増し目２５を編成したＦＵに対向するＢＵの空針に、掛け目からなる追加増し目３５を編成した後、傾斜縁部７２の３回目の復路編成３Ｄ→ＢＤの後側編地部の編成→新たなユニット編成の１回目の往路編成１Ａを行なう。復路編成３Ｄの始端編目３６は、終端編目３４のウエール方向に続けて編成し、往路編成１Ａの終端編目１１は、Ｓ６に始端編目３３から１目外側にずれた位置に編成する。ここで、実施形態３において、増し目２２，２５をＢＵに編成することもできる。その場合、追加増し目３２，３５はＦＵの空針に編成する。また、引き返し編目１２（１５）と増し目２２（２５）と追加増し目３２（３５）は、編幅方向の同じ位置に形成する必要はなく、左右にずれていても良い。
【００５４】
Ｓ７以降は、実施形態１のＳ２〜Ｓ４（図３，４を参照）、および実施形態３のＳ５〜Ｓ７と同様の編成を繰り返すと共に、実施形態１と同様に傾斜縁部７１，７２以外の部分の編幅を小さくしていき、Ｓ８に示すように、図１の衿ぐり７０を構成する編目が針床に係止された状態とする。
【００５５】
Ｓ８以降は、引き返し編目１２，１５と増し目２２，２５と追加増し目３２，３５の整列を行なう。編目の整列は、実施形態１の図５に示す方法に基づいて適宜行なうことができる。編目の整列が終了したら、図１の衿８０を編成する。
【００５６】
実施形態３で編成するセーターはラグランセーターであっても良い。その場合、傾斜縁部７１，７２の編成は、上述した編成工程と同様に行なえば良い。また、編目の整列は、実施形態２の図６に示す方法に基づいて適宜行なうことができる。
【００５７】
＜実施形態４＞
実施形態１〜３では４枚ベッド横編機を用いた傾斜縁部の編成を説明した。これに対して、２枚ベッド横編機を用いて傾斜縁部を編成することもできる。２枚ベッド横編機を用いる場合、隣接する編目の間に空針を設ける針抜き編成を行なう。２枚ベッド横編機を用いた傾斜縁部の編成例を、図２を利用して簡単に説明する。
【００５８】
実施形態４の説明では、図２の各編目に間に空針があると見做す。その場合、１回目の往路編成１Ａと復路編成１Ｂとの間に、既存の編目１０にタックを行なうことで引き返し編目１２を編成する。そして、２回目の往路編成２Ａと復路編成２Ｂとの間に、引き返し編目１２と終端編目１１との間にある空針に掛け目からなる増し目２２を編成する。この場合、引き返し編目１２と増し目２２の間に空針がない状態となるので、ラッキングと目移しを用いて、引き返し編目１２と増し目２２の間に空針が形成された針抜き状態に整列させる。
【００５９】
引き返し編目１２と増し目２２を針抜き状態で整列させることで、図１の衿ぐり７０に続いて編成される衿８０の編目の大きさを揃えることができる。
【００６０】
引き返し編目１２と増し目２２を、割増やしによって編成することもできる。例えば、既存の編目１０に割増やしを行なって引き返し編目１２を編成する際、既存の編目１０に割増やしを行なうと、既存の編目１０は対向する針床に移動され、既存の編目１０が係止されていた編針に編目１０から引き出された編目（引き返し編目１２）が係止された状態になる。既存の編目１０は、２回目の往路編成２Ａを行なう前に、引き返し編目１２と終端編目１１との間の空針に移動させる。同様に、割増やしによって対向する針床に移動した編目を元の針床に戻すことで、増し目２２を編成しても良い。割増やしを行なう場合も、ラッキングと目移しを用いて、引き返し編目１２と増し目２２の間に空針が形成された針抜き状態に整列させる。
【００６１】
割増やしによって引き返し編目１２や増し目２２を編成することで、傾斜縁部７１の近傍で編目が詰んだ状態になる。その結果、傾斜縁部７１に衿８０（図１参照）を形成したときに、傾斜縁部７１の近傍に大きな孔ができ難く、傾斜縁部７１近傍を綺麗に仕上げることができる。
【符号の説明】
【００６２】
１Ａ，１Ｃ，２Ａ，２Ｃ，３Ａ，３Ｃ  往路編成
１Ｂ，１Ｄ，２Ｂ，２Ｄ，３Ｂ，３Ｄ  復路編成
１，３，５，７  引き返し編目  ２，４，６，８  増し目
１０ｂ  ベース編目列  １０  既存の編目
１１，１４，２１，２４，３１，３４  終端編目
１３，１６，２３，２６，３３，３６  始端編目
１２，１５  引き返し編目（タック目）  ２２，２５  増し目（掛け目）
３２，３５  追加増し目（掛け目）
１００  セーター（筒状編地）
５０  身頃  ５１  左前身頃  ５２  右前身頃  ５３  後身頃  ５０ｄ  離隔部
６１  左袖  ６２  右袖
７０  衿ぐり  ７１，７２  傾斜縁部  ７３  下端部
８０  衿
【図１】
2017210697.tif 000003
【図２】
2017210697.tif 000004
【図３】
2017210697.tif 000005
【図４】
2017210697.tif 000006
【図５】
2017210697.tif 000007
【図６】
2017210697.tif 000008
【図７】
2017210697.tif 000009